(57)【要約】【課題】ユーザの条件設定を必要とせず、容易かつ正確に章分けができる画像形成装置を提供する。【解決手段】複数ページの原稿を読み取り、読み取った原稿画像データに基づく画像形成を行う画像形成装置において、前記原稿画像データに対してページ毎に文字認識処理を施し、特定文字又は特定文字列が含まれているか否かの判定を行い、特定文字又は特定文字列が含まれた包含ページに係る原稿画像データにその旨を表す包含情報を付加する。【選択図】図３
2016149600.tif 000002
【特許請求の範囲】
【請求項１】
複数ページの原稿を読み取り、読み取った原稿画像データに基づく画像形成を行う画像形成装置において、
前記原稿画像データに対してページ毎に文字認識処理を施し、特定文字又は特定文字列が含まれているか否かの判定を行う判定手段と、
特定文字又は特定文字列が含まれた包含ページに係る原稿画像データにその旨を表す包含情報を付加する情報付加手段と
を備えることを特徴とする画像形成装置。
【請求項２】
特定紙が収容されたトレイと、
前記画像形成を行う際、前記包含情報に基づいて、前記包含ページの画像形成前に、前記特定紙を挿入する挿入手段と
を備えることを特徴とする請求項１に記載の画像形成装置。
【請求項３】
色が異なる複数種類の特定紙が複数のトレイに収容され、
前記挿入手段は選択的に特定紙を挿入するように構成されていることを特徴とする請求項２に記載の画像形成装置。
【請求項４】
形状が異なる複数種類の特定紙が複数のトレイに収容され、
前記挿入手段は選択的に特定紙を挿入するように構成されていることを特徴とする請求項２に記載の画像形成装置。
【請求項５】
前記特定文字又は特定文字列の後に続く後続文字又は後続文字列を抽出する抽出手段と、
該特定文字又は特定文字列に係る包含ページの前に挿入される特定紙に、抽出された後続文字又は後続文字列の画像形成を行う画像形成手段とを備えることを特徴とする請求項２から４の何れかに記載の画像形成装置。
【請求項６】
前記特定紙はタブを有するタブ紙であり、該タブ紙のタブに前記後続文字又は後続文字列の画像形成が行われることを特徴とする請求項２から５の何れかに記載の画像形成装置。
【請求項７】
前記抽出手段は、後続文字又は後続文字列を抽出した所定包含ページの特定文字又は特定文字列を抽出し、
後続文字又は後続文字列と、特定文字又は特定文字列とを対応付けて記憶する記憶部を備えることを特徴とする請求項５に記載の画像形成装置。
【請求項８】
前記記憶部は、前記所定包含ページに係るページ番号を、前記後続文字又は後続文字列、及び、前記特定文字又は特定文字列に対応付けて記憶するように構成されていることを特徴とする請求項７に記載の画像形成装置。
【請求項９】
前記記憶部は、ページ順にて、一の包含ページと、該一の包含ページに続く他の包含ページとの間の各ページの原稿画像データを前記一の包含ページの原稿画像データとを一つのグループとして記憶するように構成されていることを特徴とする請求項７又は８に記載の画像形成装置。
【請求項１０】
前記画像形成手段は、前記記憶部の記憶内容に基づいて、前記後続文字又は後続文字列と、前記特定文字又は特定文字列とを対応付けて画像形成を行うことを特徴とする請求項７から９の何れかに記載の画像形成装置。
【請求項１１】
前記画像形成手段は、前記記憶部の記憶内容に基づいて、前記後続文字又は後続文字列と、前記特定文字又は特定文字列とを対応付けて、前記複数ページの原稿に係る目次の画像形成を行うことを特徴とする請求項１０に記載の画像形成装置。
【請求項１２】
前記原稿画像データを特定の送信先に送信する指示を受け付ける送信指示受付手段と、
該送信指示受付部が前記指示を受け付けた場合、前記目次の画像形成に係る目次画像データを生成する画像データ生成手段とを備え、
前記目次画像データは前記原稿画像データに付されて前記送信先に送信されるように構成されていることを特徴とする請求項１１に記載の画像形成装置。
【請求項１３】
前記画像形成手段は、一の包含ページの前に挿入された特定紙に、該一の包含ページに係る原稿画像データの画像形成を行うように構成されていることを特徴とする請求項３に記載の画像形成装置。
【請求項１４】
前記記憶部は複数のグループを記憶しており、
何れかのグループの選択を受け付ける選択受付手段を備え、
前記画像形成手段は、受け付けられた選択に係るグループの原稿画像データに基づいて画像形成を行うように構成されていることを特徴とする請求項９に記載の画像形成装置。
【請求項１５】
前記特定文字又は特定文字列、並びに、対応する後続文字又は後続文字列を見出しとして設定し、前記文字認識処理後の原稿画像データに対して、ＭＳ  Ｗｏｒｄに係るデータ形式にフォーマットを行うことを特徴とする請求項７から１２の何れかに記載の画像形成装置。
【発明の詳細な説明】
【技術分野】
【０００１】
本発明は、複数ページの原稿を読み取り、読み取った原稿画像データに基づく画像形成を行う画像形成装置に関する。
【背景技術】
【０００２】
従来、複数ページからなり、複数の章からなる原稿を読み取り、読み取った原稿画像データから印刷物、電子文書を作成できる画像形成装置が開示されている。
【０００３】
例えば、特許文献１においては、章分け箇所の候補を、以下の１つ以上の条件の組み合わせで抽出する画像形成装置が開示されている。
（１）原稿画像内の行の文字サイズがユーザの指定した文字サイズより大きいときに、該行を章分け箇所の候補とする。
（２）原稿画像内の空白行数がユーザの指定した空白行数より大きいときに、空白行の次の行を章分け箇所の候補とする。
（３）ユーザの指定したページ番号に合致した原稿画像内の先頭行を章分け箇所の候補とする。
（４）原稿画像内の行の文字列にユーザの指定した文字列含むときに、当該行を章分け箇所の候補とする。
（５）原稿画像内のユーザの指定した行を章分け箇所の候補とする。
【先行技術文献】
【特許文献】
【０００４】
【特許文献１】特開２０１０−１０９４２０号公報
【発明の概要】
【発明が解決しようとする課題】
【０００５】
しかしながら、特許文献１の画像形成装置は、何れの条件においてもユーザが条件を設定する必要があり、ユーザ使用性、利便性として煩雑さを伴うが故、ユーザが簡易に使用することが難しいという問題がある。
【０００６】
また、特許文献１の画像形成装置は、章分けを行う処理を開示するのみであって、章分けした結果の利用については、言及されていない。
【０００７】
本発明は、斯かる事情に鑑みてなされたものであり、その目的とするところは、複数ページの原稿を読み取り、読み取った原稿画像データに基づく画像形成を行う画像形成装置において、前記原稿画像データに対してページ毎に文字認識処理を施し、特定文字又は特定文字列が含まれているか否かの判定を行い、特定文字又は特定文字列が含まれた包含ページに係る原稿画像データにその旨を表す包含情報を付加することにより、ユーザの条件設定を必要とせず、容易かつ正確に章分けができる画像形成装置を提供することにある。
【課題を解決するための手段】
【０００８】
本発明に係る画像形成装置は、複数ページの原稿を読み取り、読み取った原稿画像データに基づく画像形成を行う画像形成装置において、前記原稿画像データに対してページ毎に文字認識処理を施し、特定文字又は特定文字列が含まれているか否かの判定を行う判定手段と、特定文字又は特定文字列が含まれた包含ページに係る原稿画像データにその旨を表す包含情報を付加する情報付加手段とを備えることを特徴とする。
【０００９】
本発明に係る画像形成装置は、特定紙が収容されたトレイと、前記画像形成を行う際、前記包含情報に基づいて、前記包含ページの画像形成前に、前記特定紙を挿入する挿入手段とを備えることを特徴とする。
【００１０】
本発明に係る画像形成装置は、色が異なる複数種類の特定紙が複数のトレイに収容され、前記挿入手段は選択的に特定紙を挿入するように構成されていることを特徴とする。
【００１１】
本発明に係る画像形成装置は、形状が異なる複数種類の特定紙が複数のトレイに収容され、前記挿入手段は選択的に特定紙を挿入するように構成されていることを特徴とする。
【００１２】
本発明に係る画像形成装置は、前記特定文字又は特定文字列の後に続く後続文字又は後続文字列を抽出する抽出手段と、該特定文字又は特定文字列に係る包含ページの前に挿入される特定紙に、抽出された後続文字又は後続文字列の画像形成を行う画像形成手段とを備えることを特徴とする。
【００１３】
本発明に係る画像形成装置は、前記特定紙はタブを有するタブ紙であり、該タブ紙のタブに前記後続文字又は後続文字列の画像形成が行われることを特徴とする。
【００１４】
本発明に係る画像形成装置は、前記抽出手段は、後続文字又は後続文字列を抽出した所定包含ページの特定文字又は特定文字列を抽出し、後続文字又は後続文字列と、特定文字又は特定文字列とを対応付けて記憶する記憶部を備えることを特徴とする。
【００１５】
本発明に係る画像形成装置は、前記記憶部は、前記所定包含ページに係るページ番号を、前記後続文字又は後続文字列、及び、前記特定文字又は特定文字列に対応付けて記憶するように構成されていることを特徴とする。
【００１６】
本発明に係る画像形成装置は、前記記憶部は、ページ順にて、一の包含ページと、該一の包含ページに続く他の包含ページとの間の各ページの原稿画像データを前記一の包含ページの原稿画像データとを一つのグループとして記憶するように構成されていることを特徴とする。
【００１７】
本発明に係る画像形成装置は、前記画像形成手段は、前記記憶部の記憶内容に基づいて、前記後続文字又は後続文字列と、前記特定文字又は特定文字列とを対応付けて画像形成を行うことを特徴とする。
【００１８】
本発明に係る画像形成装置は、前記画像形成手段は、前記記憶部の記憶内容に基づいて、前記後続文字又は後続文字列と、前記特定文字又は特定文字列とを対応付けて、前記複数ページの原稿に係る目次の画像形成を行うことを特徴とする。
【００１９】
本発明に係る画像形成装置は、前記原稿画像データを特定の送信先に送信する指示を受け付ける送信指示受付手段と、該送信指示受付部が前記指示を受け付けた場合、前記目次の画像形成に係る目次画像データを生成する画像データ生成手段とを備え、前記目次画像データは前記原稿画像データに付されて前記送信先に送信されるように構成されていることを特徴とする。
【００２０】
本発明に係る画像形成装置は、前記画像形成手段は、一の包含ページの前に挿入された特定紙に、該一の包含ページに係る原稿画像データの画像形成を行うように構成されていることを特徴とする。
【００２１】
本発明に係る画像形成装置は、前記記憶部は複数のグループを記憶しており、何れかのグループの選択を受け付ける選択受付手段を備え、前記画像形成手段は、受け付けられた選択に係るグループの原稿画像データに基づいて画像形成を行うように構成されていることを特徴とする。
【００２２】
本発明に係る画像形成装置は、前記特定文字又は特定文字列、並びに、対応する後続文字又は後続文字列を見出しとして設定し、前記文字認識処理後の原稿画像データに対して、ＭＳ  Ｗｏｒｄに係るデータ形式にフォーマットを行うことを特徴とする。
【発明の効果】
【００２３】
本発明によれば、その都度ユーザが条件を設定する手間を省くことができ、容易かつ正確に章分けができる。
【図面の簡単な説明】
【００２４】
【図１】本発明の実施の形態１に係るデジタルカラー複写機の構成を示す縦断面図である。
【図２】本発明の実施の形態１に係る複写機の装置全体の各部を制御する制御系を説明する機能ブロック図である。
【図３】本発明の実施の形態１に係る複写機における、原稿画像データの読み取り処理を説明するフローチャートである。
【図４】本発明の実施の形態１に係る複写機において、図３に示したような読み込み処理が完了した場合における、ハードディスクに記憶された管理テーブルを概念的に説明する概念図である。
【図５】本発明の実施の形態１に係る複写機において、包含ページの前に特定紙を挿入する処理を説明するフローチャートである。
【図６】本発明の実施の形態２に係る複写機において、包含ページの前に特定紙を挿入する処理を説明するフローチャートである。
【図７】本発明の実施の形態３に係る複写機において、目次を印刷する処理を説明するフローチャートである。
【図８】本発明の実施の形態４に係る複写機において、目次画像データを作製して送信する場合を説明するフローチャートである。
【図９】本発明の実施の形態５に係る複写機において、所定の章のみを選択的に印刷する場合を説明するフローチャートである。
【図１０】本発明の実施の形態６に係る複写機において、原稿画像データを送信する例を説明するフローチャートである。
【発明を実施するための形態】
【００２５】
以下に、本発明の実施の形態に係る画像形成装置を、いわゆる複写機に適用した場合を例として、図面に基づいて詳述する。
【００２６】
（実施の形態１）
図１は本発明の実施の形態１に係るデジタルカラー複写機の構成を示す縦断面図である。複写機１の上面には、原稿台１１１及び後述する操作パネルが設けられ、複写機１の内部に画像読取部１１０及び画像形成部２１０が設けられている。
【００２７】
原稿台１１１の上面には該原稿台１１１に対して開閉可能な状態で支持され、両面自動原稿送り装置（RADF；Reversing automatic Document Feeder）１１２が装着されている。
【００２８】
さらに、両面自動原稿送り装置１１２は、まず、原稿の一方の面が原稿台１１１の所定位置において画像読取部１１０に対向するよう原稿を搬送し、この際、斯かる面の画像の読み取りが行われる。この一方の面についての画像読み取りが終了した後、両面自動原稿送り装置１１２は他方の面が原稿台１１１の所定位置において画像読取部１１０に対向するよう原稿を反転し、原稿台１１１の所定位置に向かって搬送し、斯かる面に対する画像形成が行われる。そして、両面自動原稿送り装置１１２は、１枚の原稿について両面の画像読み取りが終わった後、この原稿を排出し、次の原稿についても同様に両面搬送動作を実行する。以上の両面自動原稿送り装置１１２の動作は、複写機全体の動作に関連して制御されるものである。
【００２９】
画像読取部１１０は、両面自動原稿送り装置１１２により原稿台１１１上の所定位置に搬送される原稿の画像を読み取るために、原稿台１１１の下方に配置されている。また、画像読取部１１０は該原稿台１１１の下面に沿って平行に往復移動する（原稿台１１１上に置かれた原稿を読み取る場合）原稿走査体１１３、１１４と、光学レンズ１１５と、光電変換素子であるＣＣＤラインセンサ１１６とを有している。
【００３０】
原稿走査体１１３、１１４は、第１の走査ユニット１１３と第２の走査ユニット１１４とから構成されている。第１の走査ユニット１１３は原稿の表面を露光する露光ランプと、原稿からの反射光像を所定の方向に向かって偏向する第１ミラーとを有し、原稿台１１１上に原稿が置かれた場合には、原稿台１１１の下面に対して一定の距離を保ちながら所定の走査速度で平行に往復移動するものである。また、両面自動原稿送り装置１１２にて原稿が搬送され、原稿が読み取られる場合には、所定位置で停止している。
【００３１】
第２の走査ユニット１１４は、第１の走査ユニット１１３の前記第１ミラーにより偏向された原稿からの反射光像をさらに所定の方向に向かって偏向する第２及び第３ミラーとを有し、原稿台１１１上に原稿が置かれた場合には、第１の走査ユニット１１３と一定の速度関係を保って平行に往復移動する。
【００３２】
光学レンズ１１５は、第２の走査ユニット１１４の前記第３ミラーにより偏向された原稿からの反射光像を縮小し、縮小された光像をＣＣＤラインセンサ１１６上の所定位置に結像させる。
【００３３】
ＣＣＤラインセンサ１１６は、結像された光像を順次光電変換して電気信号として出力する。ＣＣＤラインセンサ１１６は、白黒画像又はカラー画像を読み取り、Ｒ(赤)、Ｇ(緑)、Ｂ(青)の各色成分に色分解したラインデータを出力することのできる３ラインのカラーＣＣＤである。
【００３４】
次に、画像形成部２１０の構成、及び画像形成部２１０に係わる各部の構成について説明する。
画像形成部２１０の下方には、用紙トレイ内に積載収容されている記録用紙Ｐを１枚ずつ分離して画像形成部２１０に向かって供給する給紙機構２１１ａ〜２１１ｃが設けられている。そして１枚ずつ分離供給された記録用紙Ｐは、画像形成部２１０の手前に配置された一対のレジストローラ２１２によりタイミングが制御されて画像形成部２１０に搬送される。さらに、片面に画像が形成された記録用紙Ｐは、画像形成部２１０の画像形成にタイミングを合わせて画像形成部２１０に再供給搬送される。
【００３５】
また、画像形成部２１０の下方には、転写搬送ベルト機構２１３が配置されている。転写搬送ベルト機構２１３は、駆動ローラ２１４と従動ローラ２１５との間に略平行に伸びるように張架された転写搬送ベルト２１６に記録用紙Ｐを静電吸着させて搬送する。そして、転写搬送ベルト２１６の下側に近接して、パターン画像検出ユニットが設けられている。
【００３６】
さらに、用紙搬送路における転写搬送ベルト機構２１３の下流側には、記録用紙Ｐ上に転写形成されたトナー像を記録用紙Ｐ上に定着させるための定着装置２１７が配置されている。この定着装置２１７の一対の定着ローラ間を通過した記録用紙Ｐは、搬送方向切り換えゲート２１８を経て、排出ローラ２１９により複写機１の外側に取り付けられている排紙トレイ２２０上に排出される。
【００３７】
切り換えゲート２１８は、定着後の記録用紙Ｐの搬送経路を、排紙トレイ２２０へ記録用紙Ｐを排出する経路と、画像形成部２１０に向かって記録用紙Ｐを再供給する経路との間で選択的に切り換えるものである。切り換えゲート２１８により再び画像形成部２１０に向かって搬送方向が切り換えられた記録用紙Ｐは、スイッチバック搬送経路２２１を介して表裏反転された後、画像形成部２１０へと再度供給される。
【００３８】
また、画像形成部２１０における転写搬送ベルト２１６の上方には、転写搬送ベルト２１６に近接して、第１の画像形成ステーションＰａ、第２の画像形成ステーションＰｂ、第３の画像形成ステーションＰｃ、及び第４の画像形成ステーションＰｄが、用紙搬送経路の上流側から順に並設されている。
【００３９】
転写搬送ベルト２１６は駆動ローラ２１４によって、図１において矢印Ｚで示す方向に摩擦駆動され、上述したように給紙機構２１１ａ〜２１１ｃを通じて給送される記録用紙Ｐを担持し、記録用紙Ｐを画像形成ステーションＰａ〜Ｐｄへと順次搬送する。
【００４０】
各画像ステーションＰａ〜Ｐｄは、実質的に同一の構成を有している。各画像ステーションＰａ、Ｐｂ、Ｐｃ、Ｐｄは、図１に示す矢印Ｆ方向に回転駆動される感光体ドラム２２２ａ、２２２ｂ、２２２ｃ、及び２２２ｄを夫々含んでいる。
【００４１】
各感光体ドラム２２２ａ〜２２２ｄの周辺には、感光体ドラム２２２ａ〜２２２ｄを夫々一様に帯電する帯電器２２３ａ、２２３ｂ、２２３ｃ、２２３ｄと、感光体ドラム２２２ａ〜２２２ｄ上に形成された静電潜像を夫々現像する現像装置２２４ａ、２２４ｂ、２２４ｃ、２２４ｄと、現像された感光体ドラム２２２ａ〜２２２ｄ上のトナー像を記録用紙Ｐへ転写する転写用放電器２２５ａ、２２５ｂ、２２５ｃ、２２５ｄと、感光体ドラム２２２ａ〜２２２ｄ上に残留するトナーを除去するクリーニング装置２２６ａ、２２６ｂ、２２６ｃ、２２６ｄとが感光体ドラム２２２ａ〜２２２ｄの回転方向に沿って順次配置されている。
【００４２】
また、各感光体ドラム２２２ａ〜２２２ｄの上方には、レーザビームスキャナユニット２２７ａ、２２７ｂ、２２７ｃ、２２７ｄが夫々設けられている。レーザビームスキャナユニット２２７ａ〜２２７ｄは、画像データに応じて変調されたドット光を発する半導体レーザ素子(図示せず)、半導体レーザ素子からのレーザビームを主走査方向に偏向させるためのポリゴンミラー２４０ａ〜２４０ｄと、ポリゴンミラー２４０ａ〜２４０ｄにより偏向されたレーザビームを感光体ドラム２２２ａ〜２２２ｄ表面に結像させるためのｆθレンズ２４１ａ〜２４１ｄ、ミラー２４２ａ〜２４２ｄ、２４３ａ〜２４３ｄなどから構成されている。
【００４３】
レーザビームスキャナ２２７ａにはカラー原稿画像の黒色成分像に対応する画素信号が、レーザビームスキャナ２２７ｂにはカラー原稿画像のシアン色成分像に対応する画素信号が、レーザビームスキャナ２２７ｃにはカラー原稿画像のマゼンタ色成分像に対応する画素信号が、そして、レーザビームスキャナ２２７ｄにはカラー原稿画像のイエロー色成分像に対応する画素信号が夫々入力される。
【００４４】
これにより色変換された原稿画像情報に対応する静電潜像が各感光体ドラム２２２ａ〜２２２ｄ上に形成される。そして、現像装置２２４ａには黒色のトナーが、現像装置２２４ｂにはシアン色のトナーが、現像装置２２４ｃにはマゼンタ色のトナーが、現像装置２２４ｄにはイエロー色のトナーが夫々収容されており、感光体ドラム２２２ａ〜２２２ｄ上の静電潜像は、これら各色のトナーにより現像される。これにより、画像形成部２１０にて色変換された原稿画像情報が各色のトナー像として再現される。
【００４５】
また、第１の画像形成ステーションＰａと給紙機構２１１ａとの間には用紙吸着用帯電器２２８が設けられており、この吸着用帯電器２２８は転写搬送ベルト２１６の表面を帯電させ、給紙機構２１１ａから供給された記録用紙Ｐは、転写搬送ベルト２１６上に確実に吸着させた状態で第１の画像形成ステーションＰａから第４の画像形成ステーションＰｄの間をずれることなく搬送させる。
【００４６】
一方、第４の画像ステーションＰｄと定着装置２１７との間で駆動ローラ２１４のほぼ真上部には除電器２２９が設けられている。除電器２２９には転写搬送ベルト２１６に静電吸着されている記録用紙Ｐを転写搬送ベルト２１６から分離するための交流電流が印加されている。
【００４７】
上記構成の複写機１においては、記録用紙Ｐとしてカットシート状の紙が使用される。この記録用紙Ｐは、給紙トレイから送り出されて給紙機構２１１ａ〜２１１ｃの給紙搬送経路のガイド内に供給されると、その記録用紙Ｐの先端部分がセンサ（図示せず）にて検知され、このセンサから出力される検知信号に基づいて一対のレジストローラ２１２により一旦停止される。
【００４８】
そして、記録用紙Ｐは各画像ステーションＰａ〜Ｐｄとタイミングをとって図１の矢印Ｚ方向に回転している転写搬送ベルト２１６上に送られる。このとき転写搬送ベルト２１６には前述したように吸着用帯電器２２８により所定の帯電が施されているので、記録用紙Ｐは、各画像ステーションＰａ〜Ｐｄを通過する間、安定して搬送供給される。
【００４９】
各画像ステーションＰａ〜Ｐｄにおいては、各色のトナー像が、夫々形成され、転写搬送ベルト２１６により静電吸着されて搬送される記録用紙Ｐの支持面上で重ね合わされる。第４の画像ステーションＰｄによる画像の転写が完了すると、記録用紙Ｐは、その先端部分から順次、除電用放電器により転写搬送ベルト２１６上から剥離され、定着装置２１７へと導かれる。最後に、トナー画像が定着された記録用紙Ｐは、用紙排出口(図示せず)から排紙トレイ２２０上へと排出される。
【００５０】
なお、上述の説明ではレーザビームスキャナユニット２２７ａ〜２２７ｄによって、レーザビームを走査して露光することにより、感光体への光書き込みを行なう。しかし、レーザビームスキャナユニットの代わりに、発光ダイオードアレイと結像レンズアレイからなる書き込み光学系（ＬＥＤヘッド）を用いても良い。ＬＥＤヘッドはレーザビームスキャナユニットに比べ、サイズも小さく、また可動部分がなく無音である。よって、複数個の光書き込みユニットを必要とするタンデム方式のデジタルカラー複写機などの画像形成装置では、好適に用いることができる。
【００５１】
図２は複写機１の装置全体の各部を制御する制御系を説明する機能ブロック図である。複写機１は制御部４を備えており、制御部４は、ＣＰＵ４０と、ＲＡＤＦ制御部４１と、スキャナ制御部４２と、画像準備制御部４３と、画像形成制御部４４と、給紙トレイ制御部４５と、及び後処理制御部４６と、判定部４７と、情報付加部４８と、挿入部４９と、抽出部５０とを有している。
【００５２】
画像準備制御部４３は、原稿読み取り部１１０の制御を行うスキャナ制御部４２、一時的に印刷すべき画像を記憶する画像メモリ５３、レーザビームスキャナユニット２２７ａ〜２２７ｄの制御を行う露光制御部５１、画像データ蓄積用のハードディスク５５など、複写機１を構成する印刷画像準備用の各ユニットをシーケンス制御により管理すると共に、フィルタ処理、変倍処理、マスキング処理、ガンマ処理などの画像処理を行う。また、画像形成制御部４４と通信を行い、連携することで印刷ジョブの実行を行う。
【００５３】
さらに画像形成制御部４４には、給紙機構２１１ａ、２１１ｂ、２１１ｃの制御を行う給紙トレイ制御部４５、後処理の制御を行う後処理制御部４６と相互通信可能な状態で接続されており、エンジン負荷部５６のセンサを入力し、モーター等を出力制御し、各所を統轄的にシーケンス制御することで、印刷画像を形成するように動作している。
【００５４】
スキャナ制御部４２は、ＣＣＤラインセンサ１１６から原稿画像信号を受け取り、画像準備制御部４３に送るともに、両面自動原稿送り装置（ＲＡＤＦ）と通信し、原稿送り制御を行わせる。また、スキャナ制御部４２は、原稿読み取り部１１０のモーター、ソレノイド等からなるスキャナ負荷部５２に対するシーケンス制御を行うための制御信号を出力するとともに、表示部、該表示部を覆うタッチパネル、テンキー等からなる操作パネルを構成する操作基板ユニット５４と通信を行って、操作状況のモニタ、各種の表示制御を行う。
【００５５】
複写機１全体の処理の流れを両面自動原稿送り装置１１２を使用したコピーの場合を例にとり説明する。
【００５６】
ユーザは、複写機１の両面自動原稿送り装置１１２に原稿を載置し、前記操作パネルを適宜操作することにより、コピーに係る設定受け付ける設定画面を前記表示部に表示させ、コピー枚数等を設定した後、スタートキーを操作することによりコピーの開始を指示する。
【００５７】
スキャナ制御部４２は、画像読取部１１０の第１の走査ユニット１１３を両面自動原稿送り装置１１２から搬送される原稿を読み取るための所定位置へ移動させ、両面自動原稿送り装置１１２により搬送される原稿の読み取りを開始する。
【００５８】
この際、ＣＣＤラインセンサ１１６では、それを色分解してＲＧＢのアナログ画像信号を得る。更に該アナログ画像信号に対して、スキャナ制御部４２でデジタル信号への変換を行う。スキャナ制御部４２に送られ、デジタル信号に変換された画像データ（原稿画像データ）は、画像準備制御部４３へ送られ、画像メモリ５３へ格納され、画像メモリ５３へ格納された画像データは順次ハードディスク５５へ一旦格納される。また、これと同時に、画像準備制御部４３は、印刷のための画像データ（印刷画像データ）が格納されたことを画像形成制御部４４へ順次通知する。
【００５９】
画像形成制御部４４は、印刷を行うための印刷画像データの要求を画像準備制御部４３に対し順次行い、画像準備制御部４３は、要求された印刷画像データをハードディスク５５から順次読み出し、画像メモリ５３へ格納後、フィルタ処理、変倍処理、マスキング処理、ガンマ処理、多値化処理という順に画像処理を行う。この後、画像準備制御部４３は露光制御部５１へ印刷画像データの転送し、画像形成制御部４４へ印刷を行うための印刷画像データが転送完了したことを通知する。
【００６０】
画像形成制御部４４は、画像準備制御部４３からの印刷画像データの転送完了の通知を受け、印字を開始する。画像形成部２１０の印字処理スピードが、画像読取部１１０の原稿読み取り速度より遅くなる場合においては、ハードディスク５５に読み取られた画像データが格納されて行くだけで、印刷処理に伴って、順次画像データがハードディスク５５から読み出され、画像処理された後に印刷が行われることになる。
【００６１】
判定部４７は前記原稿画像データに対してページ毎に文字認識処理を施し、特定文字又は特定文字列（以下、特定文字等という。）が含まれているか否かの判定を行う。ここで、特定文字等は、特定の単語、又は特定大きさの単語等である。以下の説明においては、説明の便宜上、前記前記特定文字等が、例えば、「第Ｘ章」、「ChapterＸ」、「＃Ｘ」、「Ｘ；」、「Ｘ．」等である場合を例に挙げて説明する。また、「Ｘ」は、整数を表す文字であり、例えば、アラビア数字、漢字、ローマ数字等を含む。
【００６２】
判定部４７は原稿画像データに対してページ毎に、公知のＯＣＲ処理を施し、パターン・マッチング法によって、原稿画像データの各ページの文字認識を行ない、斯かる原稿画像データ内に前記特定文字等が含まれているか否かの判定を行う。
【００６３】
情報付加部４８は、前記特定文字等が含まれたページ（以下、包含ページ）に係る原稿画像データに、特定文字等が含まれていることを表す包含情報を付加する。すなわち、判定部４７によって所定ページに特定文字等が含まれていると判定された場合、斯かるページの原稿画像データに前記包含情報を付加する。
【００６４】
更に、情報付加部４８は、前記特定文字等が含まれた包含ページに係る原稿画像データに、前記包含情報の他、章情報を付加する。章情報は、前記特定文字等、及び、後述する後続文字等を表す情報である。
【００６５】
挿入部４９は、原稿画像データに基づく画像形成が行われる際、前記包含情報に基づいて、前記包含ページの前に、特定紙を挿入する。詳しくは、原稿画像データに基づく画像形成が行われる際、所定のページに包含情報が含まれている場合は、挿入部４９は、給紙トレイ制御部４５に指示することにより、斯かるページの画像形成に係る記録用紙の前に、特定紙が収容されたトレイから特定紙を取り込んで挿入する。ここで、特定紙は、例えば、いろんな形状のタブ紙、いろんな色相の色紙等が含まれる。
【００６６】
また、挿入部４９は、前記特定紙がいろんな形状のタブ紙、又は、いろんな色相の色紙である場合、所定順番、又はランダムに特定紙の挿入を行う。また、これに限るものでなく、後述する抽出部５０によって抽出される特定文字等又は後続文字等によって選択的に特定紙の挿入を行うように構成しても良い。
【００６７】
抽出部５０は前記特定文字等の後に続く後続文字又は後続文字列（以下、後続文字等という。）を抽出する。例えば、書籍においては、一般に、章毎に題名がつけられている。すなわち、所定ページに「第２章出願手続」との題名が書かれている場合、上述したように「第２章」は特定文字等であり、この特定文字等の後に続く「出願手続」は後続文字等である。すなわち、抽出部５０は「第２章出願手続」との題名から、特定文字等として「第２章」との文字列を抽出し、「出願手続」との文字列を後続文字等として抽出する。
【００６８】
このように抽出部５０によって抽出された特定文字等及び後続文字等は対応づけられ、ハードディスク５５に記憶される。また、抽出された特定文字等及び後続文字等を、これらに対応するページ番号に対応付けてハードディスク５５に記憶しても良い。換言すれば、ハードディスク５５には、特定文字等毎に後続文字等及び/又はページ番号を対応付けて管理する管理テーブルが記憶されている。
【００６９】
ＣＰＵ４０は、ＲＯＭ（図示せず）に予め格納されている制御プログラムをＲＡＭ（図示せず）上にロードして実行することによって、上述した各種ハードウェアの制御を行ない、装置全体を本発明の複写機１として動作させる。
【００７０】
以上のような構成を有する複写機１は、例えば、複数ページからなる原稿の原稿画像データを読み取り、斯かる原稿の原稿画像データに基づく印刷（画像形成）を行う際、章と章との間にいわゆる合い紙を挿入して、章の区別を明確、かつ簡単にすることができる。また、読み取られた原稿画像データを章毎に分けて記憶し、以降における、章毎の印刷指示に対応することができる。以下、詳しく説明する。
【００７１】
図３は本発明の実施の形態１に係る複写機１における、原稿画像データの読み取り処理を説明するフローチャートである。以下においては、説明の便宜上、全１００ページであって、１０章にて構成されている原稿の読み込みを行う場合を例として説明する。すなわち、該原稿には特定文字等として「第Ｘ章」の文字列が含まれている。
【００７２】
まず、ユーザは、複写機１の両面自動原稿送り装置１１２に前記原稿を載置し、前記操作パネルを適宜操作することにより、斯かる原稿のコピーを指示する。
【００７３】
この際、ＣＰＵ４０は前記操作パネルを介してユーザからコピーの指示を受け付け（ステップＳ１０１）、スキャナ制御部４２に原稿の読み込みを指示する。
【００７４】
ＣＰＵ４０の指示を受け付けたスキャナ制御部４２は画像読取部１１０を制御して、前記原稿を一枚ずつ読み込み（ステップＳ１０２）、該原稿に対する原稿画像データが得られ、原稿の全ページの枚数も取得できる。
【００７５】
この際、ＣＰＵ４０は、「Ｎ」に１を代入し（ステップＳ１０３）、カウントを開始する。
【００７６】
このように得られた原稿画像データのうち、先ず１ページの原稿画像データに対して、判定部４７はＯＣＲ処理を施す（ステップＳ１０４）。また、判定部４７は、パターン・マッチング法によって、該原稿画像データの文字認識を行ない、斯かる原稿画像データ内に前記特定文字等が含まれているか否かの判定を行う（ステップＳ１０５）。
【００７７】
判定部４７によって斯かる原稿画像データ内に前記特定文字等が含まれていないと判定された場合（ステップＳ１０５：ＮＯ）、処理はステップＳ１１０に進む。
【００７８】
一方、判定部４７によって斯かる原稿画像データ内に前記特定文字等が含まれていると判定された場合（ステップＳ１０５：ＹＥＳ）、抽出部５０は該ページにおける特定文字等を抽出する（ステップＳ１０６）。次いで、抽出部５０は抽出された特定文字等の後に続く後続文字等を抽出する（ステップＳ１０７）。抽出部５０による特定文字等の抽出については既に説明しており、詳しい説明を省略する。
【００７９】
次いで、情報付加部４８は、斯かる特定文字等が含まれた包含ページ（１ページ）に係る原稿画像データに前記包含情報と、ステップＳ１０６及びステップＳ１０７で抽出された特定文字等及び後続文字等含む章情報を付加する（ステップＳ１０８）。
【００８０】
また、このように抽出部５０によって抽出された章情報、すなわち特定文字等及び後続文字等を、これらに対応するページ番号に対応付けてハードディスク５５が記憶する（ステップＳ１０９）。
【００８１】
次いで、ＣＰＵ４０は「Ｎ」が最終ページ番号であるか否かを判定する（ステップＳ１１０）。すなわち、ＣＰＵ４０は現在の「Ｎ」と、原稿の全ページの枚数とを比較することにより斯かる判定を行う。換言すれば、ＣＰＵ４０は現在の「Ｎ」が１００であるか否かを判定する。
【００８２】
ＣＰＵ４０は、「Ｎ」が最終ページ番号でないと判定した場合（ステップＳ１１０：ＮＯ）、「Ｎ＋１」を「Ｎ」に代入し（ステップＳ１１１）、処理をステップＳ１０４に戻す。すなわち、現在「Ｎ」は「１」であるので、ＣＰＵ４０は「Ｎ」に「２」を代入する。
【００８３】
ステップＳ１０４〜ステップＳ１０９までの処理が全ページの原稿画像データに対して行われ、ＣＰＵ４０によって「Ｎ」が最終ページ番号であると判定された場合（ステップＳ１１０：ＹＥＳ）、処理は終了する。
【００８４】
以上の処理によって、ユーザが条件を設定する手間を省いて、容易かつ正確に、原稿の原稿画像データを章毎に分けることができる。
【００８５】
以上の記載においては、原稿のすべての原稿画像データをスプールして処理する場合を例として説明したが、これに限るものでなく、ページ毎に斯かる処理を行うように構成しても良い。
【００８６】
図４は本発明の実施の形態１に係る複写機１において、図３に示したような読み込み処理が完了した場合における、ハードディスク５５に記憶された管理テーブルを概念的に説明する概念図である。
【００８７】
管理テーブルには、特定文字等、後続文字等、ページ番号の項目が設けられており、項目「特定文字等」には、第１章、第２章、第３章等の特定文字等が書き込まれ、項目「後続文字等」には各特定文字等に対応して「○○○○○」、「×××」、「△△△△△」、「□□□□」等が書き込まれている。
【００８８】
また、項目「ページ番号」には、各特定文字等及び後続文字等に対応するページ番号が書き込まれている。例えば、「第１章」の特定文字等には「１〜１５」のページ番号が対応付けられており、「第２章」の特定文字等には「１６〜３０」のページ番号が対応付けられている。
【００８９】
換言すれば、「第１章」に係る包含ページは１ページ（一の包含ページ）であり、「第２章」に係る包含ページは１６ページ（他の包含ページ）である。そこで、前記管理テーブルでは、１ページ、及び、１６ページの間の各ページを１ページと一つのグループとして書き込んでいる。
【００９０】
換言すれば、１ページ、及び、１６ページの間の各ページの原稿画像データを、１ページの原稿画像データと一つのグループとして記憶されている。すなわち、１ページ〜１５ページの各原稿画像データが「第１章」（１つのグループ）として記憶されている。
【００９１】
従って、本発明の実施の形態１に係る複写機１においては、複数章からなる原稿に対して、ユーザの指示に応じて、章毎に印刷することができる。
【００９２】
図５は本発明の実施の形態１に係る複写機１において、包含ページの前に特定紙を挿入する処理を説明するフローチャートである。説明の便宜上、前記特定紙がいろんな色相の色紙である場合であって、所定順番、例えば、明度順、色度図の記載順に、特定紙の挿入が行われるものとする。また、既に図３に係る処理が行われているものとする。
【００９３】
すなわち、ユーザは、複写機１の両面自動原稿送り装置１１２に前記原稿を載置し、前記操作パネルを適宜操作することにより、斯かる原稿のコピーを指示し、ＣＰＵ４０は前記操作パネルを介してユーザからコピーの指示を受け付け、斯かる原稿の読み込みを指示する。
【００９４】
ＣＰＵ４０の指示によって斯かる原稿に対して図３に係る処理が行われ、読み取られた各ページの原稿画像データはハードディスク５５に記憶される。
【００９５】
次いで、ＣＰＵ４０は、「Ｎ」に１を代入し（ステップＳ２０１）、カウントを開始する。
【００９６】
また、現在「Ｎ」は「１」であるので、ＣＰＵ４０は１ページの原稿画像データをハードディスク５５から読み出して、斯かる原稿画像データに包含情報が含まれているか否かを判定する（ステップＳ２０２）。
【００９７】
ＣＰＵ４０は、１ページの原稿画像データに包含情報が含まれていないと判定した場合（ステップＳ２０２：ＮＯ）、処理をステップＳ２０５に進める。
【００９８】
一方、ＣＰＵ４０によって１ページの原稿画像データに包含情報が含まれていると判定された場合（ステップＳ２０２：ＹＥＳ）、挿入部４９は上述の所定順番に沿って一つの特定紙を選択する（ステップＳ２０３）。この際、挿入部４９は、給紙トレイ制御部４５に指示することにより、斯かる包含ページの画像形成に係る記録用紙の前に、選択された特定紙を挿入する（ステップＳ２０４）。
【００９９】
すなわち、給紙トレイ制御部４５は、斯かる包含ページの画像形成に係る普通の記録用紙トレイから該普通の記録用紙を画像形成ステーションに送り込む前に、選択された特定紙が収容されたトレイから斯かる特定紙を取り込み排出させる。これによって、斯かる包含ページの画像形成に係る記録用紙の前に特定紙が挿入される。
【０１００】
このように特定紙が挿入された後、又は、ステップＳ２０２にてＣＰＵ４０が１ページの原稿画像データに包含情報が含まれていないと判定した場合、給紙トレイ制御部４５は、斯かるページの画像形成に係る普通の記録用紙のトレイから該普通の記録用紙を画像形成ステーションに送り込む（ステップＳ２０５）。
【０１０１】
次いで、画像形成制御部４４は、送り込まれた普通の記録用紙に対して、画像形成部２１０を制御することにより、斯かるページ（１ページ）の原稿画像データに基づく画像の印刷を行う（ステップＳ２０６）。
【０１０２】
この後、ＣＰＵ４０は「Ｎ」が最終ページ番号であるか否かを判定する（ステップＳ２０７）。すなわち、ＣＰＵ４０は現在の「Ｎ」と、原稿の全ページの枚数とを比較することにより斯かる判定を行う。
【０１０３】
ＣＰＵ４０は、「Ｎ」が最終ページ番号でないと判定した場合（ステップＳ２０７：ＮＯ）、「Ｎ＋１」を「Ｎ」に代入し（ステップＳ２０８）、処理をステップＳ２０２に戻す。
【０１０４】
また、ステップＳ２０２〜ステップＳ２０６までの処理が全ページの原稿画像データに対して行われ、ＣＰＵ４０によって「Ｎ」が最終ページ番号であると判定された場合（ステップＳ２０７：ＹＥＳ）、処理は終了する。
【０１０５】
以上のように、本発明の実施の形態１に係る複写機１においては、印刷（画像形成）を行う際、章と章との間に特定紙をいわゆる合い紙として挿入して、章の区別を明確、かつ簡単にすることができる。
【０１０６】
また、以上においては、特定紙として色紙を選択的に挿入する場合を例として説明したが、本発明はこれに限るものでない。例えば、所定包含ページに係る画像形成前に、色紙を挿入し、該色紙に前記所定包含ページの原稿画像データに基づく画像の印刷を行うように構成しても良い。
【０１０７】
（実施の形態２）
実施の形態１においては、特定紙として色紙を用いる場合を例として説明したが、本発明はこれに限るものでない。例えば特定紙としていわゆるタブ紙を用いるように構成しても良い。
【０１０８】
図６は本発明の実施の形態２に係る複写機１において、包含ページの前に特定紙を挿入する処理を説明するフローチャートである。以下の説明においては、前記特定紙がタブ紙であり、特定紙としてタブ紙が挿入される場合を例として説明する。また、上述したように、包含ページには包含情報及び章情報が付加されている。
【０１０９】
ユーザは、複写機１の両面自動原稿送り装置１１２に前記原稿を載置し、前記操作パネルを適宜操作することにより、斯かる原稿のコピーを指示し、ＣＰＵ４０は前記操作パネルを介してユーザからコピーの指示を受け付け、斯かる原稿の読み込みを指示する。
【０１１０】
ＣＰＵ４０の指示によって斯かる原稿に対して図３に係る処理が行われ、読み取られた各ページの原稿画像データはハードディスク５５に記憶される。この際、ハードディスク５５には図４の管理テーブルが記憶されているものとする。
【０１１１】
次いで、ＣＰＵ４０は、「Ｎ」に１を代入し（ステップＳ３０１）、カウントを開始する。
【０１１２】
また、現在「Ｎ」は「１」であるので、ＣＰＵ４０は１ページの原稿画像データをハードディスク５５から読み出して、斯かる原稿画像データに包含情報が含まれているか否かを判定する（ステップＳ３０２）。
【０１１３】
ＣＰＵ４０は、１ページの原稿画像データに包含情報が含まれていないと判定した場合（ステップＳ３０２：ＮＯ）、処理をステップＳ３０５に進める。
【０１１４】
一方、ＣＰＵ４０によって１ページの原稿画像データに包含情報が含まれていると判定された場合（ステップＳ３０２：ＹＥＳ）、挿入部４９は給紙トレイ制御部４５に指示することにより、斯かる包含ページの画像形成に係る記録用紙の前に、タブ紙を挿入する（ステップＳ３０３）。
【０１１５】
すなわち、給紙トレイ制御部４５は、斯かる包含ページの画像形成に係る普通の記録用紙トレイから該普通の記録用紙を画像形成ステーションに送り込む前に、タブ紙が収容されたトレイからタブ紙を取り込んで画像形成ステーションに送り込む。
【０１１６】
次いで、画像準備制御部４３は、斯かる包含ページ（１ページ）に付されている章情報を読み出し、画像メモリ５３へ格納した後、該章情報に係る印刷画像データを露光制御部５１へ転送し、その旨を画像形成制御部４４に通知する。
【０１１７】
画像形成制御部４４は、画像準備制御部４３から斯かる通知を受け、画像形成部２１０を制御することにより、前記タブ紙のタブ部に前記章情報に係る印刷画像データに基づく画像を印刷する（ステップＳ３０４）。
【０１１８】
詳しくは、現在「Ｎ」は「１」であり、１ページ（包含ページ）には、章情報である、特定文字等の「第１章」と、後続文字等の「○○○○○」とが付加されているので（図４参照）、ステップＳ３０４では、タブ紙に「第１章」及び「○○○○○」の文字列が印刷される。
【０１１９】
以降、ステップＳ３０５からステップＳ３０８までの処理は、図５における、ステップＳ２０５からステップＳ２０８までの処理と同様であるので、詳しい説明を省略する。
【０１２０】
以上のように、本発明の実施の形態２に係る複写機１においては、章と章との間にタブ紙を挿入し、該タブ紙に章情報（特定文字等及び後続文字等）を印刷するので、章の区別が一層明確、かつ簡単にできるうえ、一見して斯かる章の内容を把握することが可能となる。
【０１２１】
以上においては、特定紙としてタブ紙を挿入し、該タブ紙に章情報を印刷する場合を例に説明したが、本発明はこれに限るものでない。特定紙として色紙を挿入し、該色紙に章情報を印刷するように構成しても良い。
【０１２２】
また、本発明は以上の記載に限るものでなく、本発明に係る複写機１がタブ紙及び色紙を共に備え、ユーザの指示に応じて、挿入部４９が、選択的に、タブ紙又は色紙を特定紙として挿入するように構成しても良い。
【０１２３】
（実施の形態３）
本発明の実施の形態３に係る複写機１においては、複数章からなる原稿に対して、章毎の題名が記載された目次を作成することができる。以下、詳しく説明する。
【０１２４】
図７は本発明の実施の形態３に係る複写機１において、目次を印刷する処理を説明するフローチャートである。以下においては、説明の便宜上、既に図３の処理が行われ、ハードディスク５５が図４の管理テーブルを記憶しているものとする。
【０１２５】
図３の処理が完了した後、ユーザは前記操作パネルを適宜操作することにより、斯かる原稿の目次作成を指示する。この際、ＣＰＵ４０は前記操作パネルを介してユーザから目次作成の指示を受け付ける（ステップＳ４０１）。
【０１２６】
次いで、ＣＰＵ４０はＲＯＭに記憶されている所定の制御プログラムを読み出して実行させることにより、前記表示部にフォーマットの設定を受け付ける受付画面を表示させる。ユーザは該受付画面を適宜操作することにより、作成する目次の形式を設定する。この際、ＣＰＵ４０は前記受付画面を介してフォーマットの設定を受け付ける（ステップＳ４０２）。
【０１２７】
ユーザは、例えば、Ｍｉｃｒｏｓｏｆｔ（登録商標）Ｏｆｆｉｃｅのワードファイル形式（以下、単にＭＳ Ｗｏｒｄ形式という。）、いわゆるＴＩＦＦ形式、ＰＤＦ形式等を選択することができる。以下においては、説明の便宜上、ユーザがＭＳ Ｗｏｒｄ形式を選択するものとする。
【０１２８】
次いで、画像準備制御部４３は、ハードディスク５５の管理テーブルから章情報（特定文字等及び後続文字等）と、対応するページ番号を読み込み（ステップＳ４０３）、画像メモリ５３へ格納する。
【０１２９】
また、画像準備制御部４３は読み込まれた章情報及びページ番号を用いて目次に係る印刷画像データ（以下、目次画像データという）を作成する（ステップＳ４０４）。すなわち、章（特定文字等）毎の題名（後続文字等）及びページ番号が記載された目次を印刷するためのＭＳ Ｗｏｒｄ形式の印刷画像データが作成される。このように作成された目次画像データは露光制御部５１へ転送され、その旨が画像形成制御部４４に通知される。
【０１３０】
画像形成制御部４４は、画像準備制御部４３から斯かる通知を受け、画像形成部２１０を制御することにより、前記目次画像データに基づく画像を印刷する（ステップＳ４０５）。
【０１３１】
（実施の形態４）
本発明の実施の形態４に係る複写機１においては、前記原稿画像データを電子ファイル化して外部に送信する際、実施の形態３にて説明した目次を作製して付することができる。以下、詳しく説明する。
【０１３２】
図８は本発明の実施の形態４に係る複写機１において、前記目次画像データを作製して送信する場合を説明するフローチャートである。以下においては、説明の便宜上、既に図３の処理が行われ、ハードディスク５５が図４の管理テーブルを記憶しているものとする。
【０１３３】
所定原稿に係る原稿画像データを外部に送信するユーザは前記操作パネルを適宜操作することにより、斯かる原稿画像データの送信を指示する。この際、ＣＰＵ４０（送信指示受付手段）は前記操作パネルを介してユーザから送信の指示を受け付ける（ステップＳ５０１）。
【０１３４】
次いで、ＣＰＵ４０はＲＯＭに記憶されている所定の制御プログラムを読み出して実行させることにより、送信先の設定を受け付ける受付画面、及び、フォーマットの設定を受け付ける受付画面を前記表示部に表示させる。ユーザはこれら受付画面を適宜操作することにより、送信先、並びに、送信すべき原稿画像データ及び目次画像データの形式を設定する。この際、ＣＰＵ４０は前記受付画面を介して送信先及びフォーマットの設定を受け付ける（ステップＳ５０２）。ユーザは、例えば、ＭＳ Ｗｏｒｄ形式、ＴＩＦＦ形式、ＰＤＦ形式等のうち、ＰＤＦ形式を選択するものとする。
【０１３５】
次いで、画像準備制御部４３は、ハードディスク５５の管理テーブルから章情報（特定文字等及び後続文字等）と、対応するページ番号を読み込み（ステップＳ５０３）、画像メモリ５３へ格納する。
【０１３６】
また、画像準備制御部４３（画像データ生成手段）は読み込まれた章情報及びページ番号を用いて前記目次画像データを作成する（ステップＳ５０４）。続いて、画像準備制御部４３は、このように作成された目次画像データと、前記原稿画像データとの結合を行う（ステップＳ５０５）。以下、説明の便宜上、このように結合された目次画像データ及び原稿画像データを結合画像データという。
【０１３７】
この際、画像準備制御部４３はステップＳ５０２にて受け付けたフォーマットの形式に、すなわち、ＰＤＦ形式に、前記結合画像データを変換する（ステップＳ５０６）。
【０１３８】
ＣＰＵ４０は図示しない通信部を介して、前記ＰＤＦ形式の結合画像データをステップＳ５０２にて受け付けた送信先に送信する（ステップＳ５０７）。
【０１３９】
本発明の実施の形態４に係る複写機１では、このように、自ら目次（目次画像データ）が作成できるので、いわゆる電子書籍などとして斯かる原稿が閲覧される場合に、ユーザが斯かる目次を使用することで、電子文書の閲覧を容易に行える。
【０１４０】
（実施の形態５）
本発明の実施の形態５に係る複写機１においては、読み取られた原稿画像データを章毎に分けて記憶することにより、以後における、ユーザからの章毎の印刷指示に対応することができる。すなわち、何れかの章のみを選択的に印刷することが出来る。以下、詳しく説明する。
【０１４１】
図９は本発明の実施の形態５に係る複写機１において、所定の章のみを選択的に印刷する場合を説明するフローチャートである。以下においては、説明の便宜上、既に図３の処理が行われ、ハードディスク５５が図４の管理テーブルを記憶しているものとする。すなわち、章（グループ）毎にページ番号及び原稿画像データが記憶されている。
【０１４２】
複数の章からなる所定原稿の特定の章のみを印刷するユーザは前記操作パネルを適宜操作することにより、特定の章のみを印刷する章選択印刷指示を行う。この際、ＣＰＵ４０は前記操作パネルを介してユーザから前記章選択印刷指示を受け付ける（ステップＳ６０１）。また、ＣＰＵ４０は、ユーザから印刷すべき章の選択を受け付けるための章選択受付画面を前記表示部に表示する。
【０１４３】
ユーザは前記章選択受付画面を適宜操作することにより、印刷を希望する章を選択する。この際、ＣＰＵ４０（選択受付手段）は該章選択受付画面を介してユーザから斯かる章の選択を受け付ける（ステップＳ６０２）。ＣＰＵ４０は受け付けた選択に係る章の番号を前記ＲＡＭに一時的に記憶する。
【０１４４】
このように、章選択を行った後、ユーザは前記章選択受付画面を適宜操作することにより、選択された章の印刷開始を指示し、ＣＰＵ４０は該章選択受付画面を介して斯かる印刷開始指示を受け付ける（ステップＳ６０３）。
【０１４５】
次いで、ＣＰＵ４０は、先ず「Ｎ」に１を代入し（ステップＳ６０４）、ユーザが「Ｎ」章を選択したか判定する（ステップＳ６０５）。換言すれば、ＣＰＵ４０は「Ｎ」が前記ＲＡＭに記憶された章の番号と一致するか判定する。
【０１４６】
ＣＰＵ４０によって、ユーザが「Ｎ」章を選択していないと判定された場合（ステップＳ６０５：ＮＯ）、処理はステップＳ６０７に進む。
【０１４７】
一方、ＣＰＵ４０は、ユーザが「Ｎ」章を選択したと判定した場合（ステップＳ６０５：ＹＥＳ）、すなわち、「Ｎ」が前記ＲＡＭに記憶された章の番号と一致する場合、図４の管理テーブルの前記特定文字等のうち、整数を表す部分が該「Ｎ」と一致するものを検索し、検索された特定文字等に対応するページ番号を取得する。続いて、ＣＰＵ４０は取得されたページ番号に係るページの印刷を画像形成制御部４４に指示する。
【０１４８】
ＣＰＵ４０からの指示に応じて、画像形成制御部４４は斯かるページ番号に対応する原稿画像データをハードディスク５５から読み出して、送り込まれた記録用紙に対して、画像形成部２１０を制御することにより、斯かる原稿画像データに基づく画像の印刷を行う（ステップＳ６０６）。
【０１４９】
この後、ＣＰＵ４０は「Ｎ」が最終章番号であるか否かを判定する（ステップＳ６０７）。例えば、ＣＰＵ４０は現在の「Ｎ」と、図４の管理テーブルの前記特定文字等のうち、整数を表す部分の最大値とが一致するか否かを判定する。
【０１５０】
ＣＰＵ４０は、「Ｎ」が最終章番号でないと判定した場合（ステップＳ６０７：ＮＯ）、「Ｎ＋１」を「Ｎ」に代入し（ステップＳ６０８）、処理をステップＳ６０５に戻す。
【０１５１】
一方、ＣＰＵ４０によって「Ｎ」が最終章番号であると判定された場合（ステップＳ６０７：ＹＥＳ）、処理は終了する。
【０１５２】
以上のことから、本発明の実施の形態５に係る複写機１においては、ユーザが必要な章のみを選択して印刷することができる。
【０１５３】
なお、上述した判定部４７、情報付加部４８、挿入部４９、抽出部５０は、ハードウェアロジックによって構成してもよいし、ＣＰＵ４０が所定のプログラムを実行することにより、ソフトウェア的に構築されてもよい。
【０１５４】
（実施の形態６）
図１０は本発明の実施の形態６に係る複写機１において、前記原稿画像データを送信する例を説明するフローチャートである。以下においては、説明の便宜上、既に図３の処理が行われ、ハードディスク５５が図４の管理テーブルを記憶しているものとする。
【０１５５】
所定原稿に係る原稿画像データを外部に送信するユーザは前記操作パネルを適宜操作することにより、斯かる原稿画像データの送信を指示する。この際、ＣＰＵ４０（送信指示受付手段）は前記操作パネルを介してユーザから送信の指示を受け付ける（ステップＳ７０１）。
【０１５６】
次いで、ＣＰＵ４０は送信先の設定を受け付ける受付画面、及び、フォーマットの設定を受け付ける受付画面を前記表示部に表示させる。ユーザはこれら受付画面を適宜操作することにより、送信先、並びに、送信すべき原稿画像データのフォーマットの設定を行う。この際、ＣＰＵ４０は前記受付画面を介して送信先及びフォーマットの設定を受け付ける（ステップＳ７０２）。以下、ユーザは、例えば、ＭＳ Ｗｏｒｄ形式を選択するものとする。
【０１５７】
次いで、画像準備制御部４３は、ハードディスク５５の管理テーブルから章情報（特定文字等及び後続文字等）と、対応するページ番号を読み込み（ステップＳ７０３）、画像メモリ５３へ格納する。
【０１５８】
また、画像準備制御部４３（画像データ生成手段）は読み込まれた章情報から「見出し」書式に設定すべき箇所の情報を取得し（ステップＳ７０４）、画像読取部１１０によって読み取られた原稿に係る原稿画像データをステップＳ７０２にて受け付けたフォーマットの形式に、すなわち、ＭＳ Ｗｏｒｄ形式に変換する（ステップＳ７０５）。斯かる変換の際に、ＯＣＲ処理が施された文字データの該当する箇所に、「見出し」書式が設定される。
【０１５９】
以下、ＭＳ Ｗｏｒｄ形式への変換をより詳しく説明する。
上述したように、前記原稿画像データに対してＯＣＲ処理が施され、文字領域及び画像領域が解析されて該原稿画像データから抽出される。この際、前記画像領域はＪＰＥＧフォーマットに圧縮されて前記文字領域と対応付けられてファイルとして、例えば、画像メモリ５３に保存される。
【０１６０】
この際、文字領域に対しては、文字及びレイアウトに係るＸＭＬデータが生成され、リレーションシップデータと対応付けられる。ここで、ＸＭＬデータは文章における、段落、フォントサイズ等に関する設定を表す公知のものである。
【０１６１】
次いで、画像メモリ５３に保存されたファイル、ＸＭＬデータ、リレーションシップデータ等に基づいて、いわゆるＸＭＬ形式の文書ファイルである、Ｏｆｆｉｃｅファイルが生成され、例えば、ＺＩＰ形式に変更される。
【０１６２】
ＣＰＵ４０は図示しない通信部を介して、ＭＳ Ｗｏｒｄ形式にフォーマットされた原稿画像データをステップＳ７０２にて受け付けた送信先に送信する（ステップＳ７０６）。
【０１６３】
本発明の実施の形態６に係る複写機１では、上述したように、章情報からＯＣＲ処理が施された文字データの該当する箇所が「見出し」書式に設定され、原稿に係る原稿画像データがＭＳ Ｗｏｒｄ形式に変換された後、所定の送信先に送信される。従って、前記ＭＳ Ｗｏｒｄ形式のファイル（以下、受信ファイルという。）を受信した受信者は、例えば、Ｍｉｃｒｏｓｏｆｔ（登録商標）Ｏｆｆｉｃｅに係るアプリケーションを用いて自分のＰＣにて該受信ファイルを編集することが出来、この際、特定の機能を実行させることにより、簡単に目次を作製することができる。
【０１６４】
ひいては、前記受信者は斯かる目次から、前記受信ファイルに係る画像のうち、希望する所定の章までジャンプすることも可能となる。
【０１６５】
本発明の実施態様１においては、複数ページの原稿を読み取り、読み取った原稿画像データに基づく画像形成を行う画像形成装置１において、前記原稿画像データに対してページ毎に文字認識処理を施し、特定文字又は特定文字列が含まれているか否かの判定を行う判定手段４７と、特定文字又は特定文字列が含まれた包含ページに係る原稿画像データにその旨を表す包含情報を付加する情報付加手段４８とを備えることを特徴とする。
【０１６６】
本発明によれば、前記判定手段は前記原稿画像データに対してページ毎に文字認識処理を施し、特定文字又は特定文字列が含まれているか否かの判定を行い、特定文字又は特定文字列が含まれていると判定された場合は、前記情報付加手段が、特定文字又は特定文字列が含まれた包含ページに係る原稿画像データにその旨を表す包含情報を付加する。
【０１６７】
本発明の実施態様２においては、特定紙が収容されたトレイと、前記画像形成を行う際、前記包含情報に基づいて、前記包含ページの画像形成前に、前記特定紙を挿入する挿入手段４９とを備えることを特徴とする。
【０１６８】
本発明によれば、前記画像形成を行う際、画像形成に係るページに前記包含情報が付加されている場合、換言すれば、画像形成すべきページが前記包含ページである場合、前記挿入手段が前記包含ページの前に前記トレイの特定紙を挿入する。
【０１６９】
本発明の実施態様３においては、色が異なる複数種類の特定紙が複数のトレイに収容され、前記挿入手段４９は選択的に特定紙を挿入するように構成されていることを特徴とする。
【０１７０】
本発明によれば、前記画像形成を行う際、画像形成すべきページに前記包含情報が付加されている場合、前記挿入手段は色が異なる前記複数種類の特定紙から何れかの特定紙を選択的に挿入する。
【０１７１】
本発明の実施態様４においては、形状が異なる複数種類の特定紙が複数のトレイに収容され、前記挿入手段４９は選択的に特定紙を挿入するように構成されていることを特徴とする。
【０１７２】
本発明によれば、前記画像形成を行う際、画像形成すべきページに前記包含情報が付加されている場合、前記挿入手段は形状が異なる前記複数種類の特定紙から何れかの特定紙を選択的に挿入する。
【０１７３】
本発明の実施態様５においては、前記特定文字又は特定文字列の後に続く後続文字又は後続文字列を抽出する抽出手段５０と、該特定文字又は特定文字列に係る包含ページの前に挿入される特定紙に、抽出された後続文字又は後続文字列の画像形成を行う画像形成手段４４とを備えることを特徴とする。
【０１７４】
本発明によれば、前記画像形成を行う際、画像形成すべきページが前記包含ページである場合、前記抽出手段が前記後続文字又は後続文字列を抽出し、前記画像形成手段が前記包含ページの前に挿入される特定紙に、前記抽出手段によって抽出された後続文字又は後続文字列の画像形成を行う。
【０１７５】
本発明の実施態様６においては、前記特定紙はタブを有するタブ紙であり、該タブ紙のタブに前記後続文字又は後続文字列の画像形成が行われることを特徴とする。
【０１７６】
本発明によれば、前記画像形成を行う際、画像形成すべきページが前記包含ページである場合、前記画像形成手段が前記包含ページの前に挿入されるタブ紙のタブに、前記抽出手段によって抽出された後続文字又は後続文字列の画像形成を行う。
【０１７７】
本発明の実施態様７においては、前記抽出手段５０は、後続文字又は後続文字列を抽出した所定包含ページの特定文字又は特定文字列を抽出し、後続文字又は後続文字列と、特定文字又は特定文字列とを対応付けて記憶する記憶部５５を備えることを特徴とする。
【０１７８】
本発明によれば、前記抽出手段によって、所定包含ページにおける、後続文字又は後続文字列と、特定文字又は特定文字列とが抽出され、前記記憶部は前記後続文字又は後続文字列と、特定文字又は特定文字列とを対応付けて記憶する。
【０１７９】
本発明の実施態様８においては、前記記憶部５５は、前記所定包含ページに係るページ番号を、前記後続文字又は後続文字列、及び、前記特定文字又は特定文字列に対応付けて記憶するように構成されていることを特徴とする。
【０１８０】
本発明によれば、前記抽出手段によって、所定包含ページにおける、後続文字又は後続文字列と、特定文字又は特定文字列とが抽出され、前記記憶部は前記後続文字又は後続文字列と、特定文字又は特定文字列とを、前記所定包含ページのページ番号に対応付けて記憶する。
【０１８１】
本発明の実施態様９においては、前記記憶部５５は、ページ順にて、一の包含ページと、該一の包含ページに続く他の包含ページとの間の各ページの原稿画像データを前記一の包含ページの原稿画像データとを一つのグループとして記憶するように構成されていることを特徴とする。
【０１８２】
本発明によれば、前記記憶部は、ページ順に続く一の包含ページ及び他の包含ページの間の各ページの原稿画像データを、前記一の包含ページの原稿画像データと共に一つのグループとしてまとめて記憶する。
【０１８３】
本発明の実施態様１０においては、前記画像形成手段４４は、前記記憶部５５の記憶内容に基づいて、前記後続文字又は後続文字列と、前記特定文字又は特定文字列とを対応付けて画像形成を行うことを特徴とする。
【０１８４】
本発明によれば、前記記憶部には、抽出された後続文字又は後続文字列、及び、特定文字又は特定文字列が、前記所定包含ページのページ番号に対応付けて記憶されており、前記画像形成手段は後続文字又は後続文字列と、これに対応する特定文字又は特定文字列とを関連付けて画像形成を行う。
【０１８５】
本発明の実施態様１１においては、前記画像形成手段４４は、前記記憶部５５の記憶内容に基づいて、前記後続文字又は後続文字列と、前記特定文字又は特定文字列とを対応付けて、前記複数ページの原稿に係る目次の画像形成を行うことを特徴とする。
【０１８６】
本発明によれば、前記記憶部には、抽出された後続文字又は後続文字列、及び、特定文字又は特定文字列が、前記所定包含ページのページ番号に対応付けて記憶されており、前記画像形成手段は後続文字又は後続文字列と、これに対応する特定文字又は特定文字列とを関連付けて、又は、更に前記ページ番号を関連付けて、前記複数ページの原稿に係る目次の画像形成を行う。
【０１８７】
本発明の実施態様１２においては、前記原稿画像データを特定の送信先に送信する指示を受け付ける送信指示受付手段４０と、該送信指示受付手段４０が前記指示を受け付けた場合、前記目次の画像形成に係る目次画像データを生成する画像データ生成手段４３とを備え、前記目次画像データは前記原稿画像データに付されて前記送信先に送信されるように構成されていることを特徴とする。
【０１８８】
本発明によれば、前記送信指示受付手段が前記指示を受け付けた場合、前記記憶部に記憶されている後続文字又は後続文字列、及び、特定文字又は特定文字列に基づいて、前記画像データ生成手段が前記目次画像データを生成する。生成された目次画像データは前記原稿画像データに付されて前記送信先に送信される。
【０１８９】
本発明の実施態様１３においては、前記画像形成手段４４は、一の包含ページの前に挿入された特定紙に、該一の包含ページに係る原稿画像データの画像形成を行うように構成されていることを特徴とする。
【０１９０】
本発明によれば、前記画像形成を行う際、画像形成すべきページが包含ページである場合、前記画像形成手段は前記包含ページの画像形成前に挿入される特定紙に、斯かる包含ページに係る原稿画像データの画像形成を行う。
【０１９１】
本発明の実施態様１４においては、前記記憶部５５は複数のグループを記憶しており、何れかのグループの選択を受け付ける選択受付手段４０を備え、前記画像形成手段４４は、受け付けられた選択に係るグループの原稿画像データに基づいて画像形成を行うように構成されていることを特徴とする。
【０１９２】
本発明によれば、前記選択受付手段が、前記記憶部が記憶する複数のグループのうち、何れかのグループの選択をユーザから受け付ける。前記画像形成手段は、該選択受付手段によって受け付けられた選択に係るグループの原稿画像データにのみ基づいて画像形成を行う。
【０１９３】
本発明の実施態様１５においては、前記特定文字又は特定文字列、並びに、対応する後続文字又は後続文字列を見出しとして設定し、前記文字認識処理後の原稿画像データに対して、ＭＳ  Ｗｏｒｄに係るデータ形式にフォーマットを行うことを特徴とする。
【０１９４】
本発明によれば、前記特定文字又は特定文字列、並びに、これに対応する後続文字又は後続文字列を見出しとして設定し、前記文字認識処理後の原稿画像データに対して、ＭＳ  Ｗｏｒｄに係るデータ形式にフォーマットを行い、斯かるフォーマットされたデータを外部に送信する。
【符号の説明】
【０１９５】
１  複写機
４０  ＣＰＵ
４３  画像準備制御部
４４  画像形成制御部
４７  判定部
４８  情報付加部
４９  挿入部
５０  抽出部
５５  ハードディスク
２１０  画像形成部
【図１】
2016149600.tif 000003
【図２】
2016149600.tif 000004
【図３】
2016149600.tif 000005
【図４】
2016149600.tif 000006
【図５】
2016149600.tif 000007
【図６】
2016149600.tif 000008
【図７】
2016149600.tif 000009
【図８】
2016149600.tif 000010
【図９】
2016149600.tif 000011
【図１０】
2016149600.tif 000012